(57)【要約】      （修正有）【課題】プラモデル等の模型の作成時や、精密部品の加工等に好適に利用される新規な構成のワークベースを提供する。【解決手段】プラモデル等の模型の作成時や、精密部品の加工等に好適に利用されるワークベースであって、ベース本体１０と、ベース本体１０の上面に配置されるプレート２０を有し、ベース本体１０には、プレート２０の下方に収容空間が形成され、プレート２０の一部、又は、全部が、網状の部位で構成され、収容空間と連通する連通部が設けられる。【選択図】図１
0003212523.tif 000002
【実用新案登録請求の範囲】
【請求項１】
プラモデル等の模型の作成時や、精密部品の加工等に好適に利用されるワークベースであって、
ベース本体と、前記ベース本体の上面に配置されるプレートを有し、
前記ベース本体には、前記プレートの下方に収容空間が形成され、
前記プレートには、前記プレートの上方の空間と前記収容空間と連通する連通部が設けられる、
ワークベース。
【請求項２】
前記プレートの一部、又は、全部が、網状の部位にて構成されることで前記連通部が構成される、
ことを特徴とする請求項１に記載のワークベース。
【請求項３】
前記ベース本体には出し入れ取り外し可能な引き出しが設けられ、
前記引き出しにて前記収容空間が形成され、前記プレートの下方に前記引き出しの上側の開放部が位置する、
ことを特徴とする請求項１又は請求項２に記載のワークベース。
【請求項４】
前記ベース本体には、前記プレートの上面を覆うことができる開閉式のボードが設けられ、
前記ボードを開いた状態で前記プレートが露出するとともに、前記ボードに対して資料等を立てかけることができるともに、
前記ボードを閉じた状態で前記プレートが隠されて、収容状態となる、
ことを特徴とする請求項１乃至請求項３のいずれか一項に記載のワークベース。
【請求項５】
前記プレートに形成される前記連通部は、
２．０ｍｍ〜３．５ｍｍの貫通孔にて構成される、
ことを特徴とする請求項２乃至請求項４のいずれか一項に記載のワークベース。
【考案の詳細な説明】
【技術分野】
【０００１】
本考案は、プラモデル等の模型の作成時や、精密部品の加工等に好適に利用されるワークベース（作業台）に関するものである。
【背景技術】
【０００２】
従来、例えば、特許文献１に開示されるように、プラモデル等の模型玩具の作製時に用いる工作用作業台が知られている。
【０００３】
特許文献１では、拡大鏡と、拡大鏡を支持する角度調整可能な支持具と、支持具が取り付けられる台座と、台座を照らすための照明具を備える構成としている。
【先行技術文献】
【特許文献】
【０００４】
【特許文献１】特開２００６−９５６０８号公報
【考案の概要】
【考案が解決しようとする課題】
【０００５】
プラモデルの作製時においては、ランナー（枠）とパーツを結ぶゲートの部分をニッパーで切り落とす作業が発生するが、この際、ゲートの破片が屑（くず）として生じることになる。
【０００６】
同様に、パーツに残存したゲートの突起部をヤスリで削りとる場合には、粉状の屑も生じることになる。また、接合部を埋めたパテを研磨するときも同様である。
【０００７】
以上のように、プラモデルの作製時においては、いわゆるゴミ屑が生じるものであり、このゴミ屑が作業スペースに散乱することで、作業スペースが汚くなると共に、作業終了後に掃除の手間が生じるという問題が存在する。
【０００８】
或いは、切り落としたゲートの鋭利な部分が突き刺さることや、粉が手に付着して手が汚れる、或いは、散乱する粉が舞い上がり吸い込んでしまう、などといった問題も生じる。
【０００９】
また、プラモデル以外にも、時計などの精密部品の各種加工や、貴金属アクセサリー等の各種加工においても、同様にゴミ屑（加工屑）の問題が生じ得る。ちなみに、素材がゴールドやシルバーなどの貴金属である場合には、ゴミ屑そのものを捨てるのではなく、回収して再利用することが行われるものであるが、このような場合にも、ゴミ屑が散乱してしまうと回収漏れを生じさせる可能性がある。
【００１０】
ここで、上述した特許文献１に記載される作業台は、時計などの精密機械の組み立て等に古くから使用されていた拡大鏡を応用したものであり、面積の大きな台座を備える構成とするものである。
【００１１】
しかしながら、台座の上、或いは、台座の周辺にゴミ屑が散乱してしまう問題については、なんら解決策を与えてくれるものではない。
【００１２】
そこで、考案者らは以上の問題に鑑み、プラモデル等の模型の作成時や、精密部品の加工等に好適に利用される新規な構成のワークベース（作業台）を提案するものである。
【課題を解決するための手段】
【００１３】
本考案の解決しようとする課題は以上の如くであり、次にこの課題を解決するための手段を説明する。
【００１４】
即ち、請求項１に記載のごとく、
プラモデル等の模型の作成時や、精密部品の加工等に好適に利用されるワークベースであって、
ベース本体と、前記ベース本体の上面に配置されるプレートを有し、
前記ベース本体には、前記プレートの下方に収容空間が形成され、
前記プレートには、前記プレートの上方の空間と前記収容空間と連通する連通部が設けられる、ワークベースとする。
【００１５】
また、請求項２に記載のごとく、
前記プレートの一部、又は、全部が、網状の部位にて構成されることで前記連通部が構成される、こととする。
【００１６】
また、請求項３に記載のごとく、
前記ベース本体には出し入れ取り外し可能な引き出しが設けられ、
前記引き出しにて前記収容空間が形成され、前記プレートの下方に前記引き出しの上側の開放部が位置する、こととする。
【００１７】
また、請求項４に記載のごとく、
前記ベース本体には、前記プレートの上面を覆うことができる開閉式のボードが設けられ、
前記ボードを開いた状態で前記プレートが露出するとともに、前記ボードに対して資料等を立てかけることができるともに、
前記ボードを閉じた状態で前記プレートが隠されて、収容状態となる、こととする。
【００１８】
また、請求項５に記載のごとく、
前記プレートに形成される前記連通部は、
２．０ｍｍ〜３．５ｍｍの貫通孔にて構成される、
こととする。
【考案の効果】
【００１９】
本考案の効果として、以下に示すような効果を奏する。
【００２０】
本発明によれば、プレート２０に形成される連通部を通じてゴミ屑（加工屑）を収容空間５に排出することができ、プレート２０の上面を常に綺麗な状態で作業することができ、また、ゴミ屑（加工屑）を収容空間５に集めることで、周辺にゴミ屑（加工屑）が散乱してしまう問題を解決できる。また、貴金属アクセサリー等の各種加工の際に、加工屑を確実に回収することができる。
【００２１】
また、プレート２０の上面のゴミ屑（加工屑）を直接的に収容空間５に落下させることができ、作業効率を高めることができる。
【００２２】
また、引き出し４を取り外すことでゴミ屑（加工屑）を廃棄することができ、作業性に優れた構成とすることができる。
【００２３】
また、ボード５０をプレート２０を保護するカバーとして機能させることができ、ワークベース１をコンパクトして片付け、収納することができる。また、使用時には、ボード５０を開くだけでマニュアルなどの資料５２を立てかけることができ、また、ボード５０が開閉式で別体ではないため、ボード５０の置き場に困ることもない。
【図面の簡単な説明】
【００２４】
【図１】本考案の一実施形態に係るワークベースの正面側の構成について示す図。
【図２】本考案の一実施形態に係るワークベースの背面側の構成について示す図。
【図３】ボードを閉じた状態について示す図。
【図４】ワークベースの使用状態について示す図。
【図５】ベース本体の構成について説明する図。
【考案を実施するための形態】
【００２５】
図１は本考案の一実施形態に係るワークベース１の全体構成を示すものである。ワークベース１は、平面視において長方形状をなすベース本体１０と、ベース本体１０の上面に配置されるプレート２０を有して構成される。
【００２６】
ベース本体１０の右側の側部には、拡大鏡３０のアーム３１の後端に設けられた接続部３２を取り付けるためのコネクタ部１１が設けられている。拡大鏡３０の枠には、手元を照らすためのライトと、そのスイッチを内蔵することができる。また、ベース本体１０の右側の側部には、ニッパーなどの工具３（図４参照）を置くための工具ホルダー１９が設けられる。
【００２７】
ベース本体１０の左側の側部には、ペンライト４０のアーム４１の後端に接続部を取り付けるためのコネクタ部が同様に設けられる。
【００２８】
ベース本体１０内には図示せぬバッテリーが内蔵されており、当該バッテリーによる給電により、拡大鏡３０に内蔵されるライトや、ペンライト４０を点灯できるようになっている。また、バッテリーの残量を示すインジケーター１３をベース本体１０に設けることもできる。また、このバッテリーからの給電により、ペンライト４０以外の電動工具（ＵＳＢ給電工具）を接続することも可能である。また、図２に示すように、ベース本体１０の背面部には、バッテリーに給電するためのＵＳＢコネクタ部４２が設けられている。
【００２９】
また、図１及び図２に示すように、ベース本体１０の奥側の長辺部には、開閉式のボード５０が設けられる。図３に示すように、ボード５０を閉じた状態では、当該ボード５０によってプレート２０（図１）の全面が覆われ、ワークベース１をコンパクトして片付けることができるようになっている。
【００３０】
また、図４に示すように、ワークベース１を使用する際には、ボード５０を開いてプレート２０上での作業が可能となっている。この際、ボード５０に組立てマニュアルなどの資料５２を立てかけることができ、優れた作業効率を実現することができる。
【００３１】
また、このように資料５２を立てかけることを想定し、例えば、ボード５０とベース本体１０を接続する蝶番の構成を、プレート２０の開き角度を約１２０度に維持できる構成としてもよい。
【００３２】
図５は、ベース本体１０の構成について示す図である。ベース本体１０では、矩形の底板部１２の右辺部、奥側辺部、左辺部において、それぞれ、右縦壁部１４ｂ、奥縦壁部１４ｃ、左縦壁部１４ｄが立設されている。正面側には、引き出し４を出し引き可能とするための開口を有する正面壁部１４ａが立設されている。
【００３３】
また、正面壁部１４ａ、右縦壁部１４ｂ、奥縦壁部１４ｃ、左縦壁部１４ｄの上端部を囲むように周囲枠１５が構成され、周囲枠１５の内側に矩形の開口部１６が形成される。図４に示すように、周囲枠１５の上面には、工具１５ａ（カッターナイフ）などを安定して置くことのできる窪み部１５ｂが設けられる。
【００３４】
引き出し４は上方が開放されており、開口部１６と引き出し４の内部が連通するようになっている。この引き出し４によって、プレート２０の下方にゴミ屑等の被回収物を収容するための収容空間５が構成される。
【００３５】
引き出し４の正面板４ａには、取っ手４ｂが設けられており、取っ手４ｂを摘んで出し入れ操作ができるようになっている。引き出し４を完全に引き出してベース本体１０と分離することで、収容空間５に溜まった被回収物をまとめて廃棄などすることができる。
【００３６】
また、引き出し４を完全に押し込んだ状態では、正面板４ａの表面が正面壁部１４ａと面一になり、図３に示すように、正面板４ａによってベース本体１０の外観が構成され、すっきりとまとまった外観を構成することができる。
【００３７】
なお、本実施例のように、移動式（スライド式）の引き出し４にて収容空間５を構成する場合において、手前に引き出す構成とする他、右方向、左方向、或いは、背面方向に引き出す構成としてもよい。この他、引き出し４を設けずに、正面壁部１４ａを開閉式の蓋とし、当該蓋を開きつつワークベース全体を傾けて内部のゴミ屑（加工屑）を外部に捨てる構成としてもよい。また、底板１２が下方に開く構成としてもよい。また、このような排出の為の機構を設けずに、プレート２０を外しつつワークベース全体を裏返しにすることで、ベース本体１０の開口部１６から排出する構成としてもよい。
【００３８】
また、図５に示すように、周囲枠１５の開口部１６の内周縁１７に、プレート２０が上側から載置され、プレート２０の周辺部が内周縁１７によって下から支えられる。また、内周縁１７の手前辺と奥側辺を跨ぐようにして、二本の支持棒１８，１８が横方向に間隔を空けて配置される。
【００３９】
この二本の支持棒１８，１８によりプレート２０の中央部の下面が支えられることにより、図４に示すように、プレート２０に手を載せて作業をする場合であっても、プレート２０が撓むことなく、プレート２０を平らな状態で維持することができる。
【００４０】
本実施例では、支持棒１８は、断面が丸ではなく平板状の棒部材で構成され、その板面が垂直になるように周囲枠１５に取り付けられる。このように構成することで、後述するように、プレート２０に形成される連通部を通過するゴミ屑（加工屑）を支持棒１８の表面に引っかかることや、堆積させることなく、下方に落下させることができる。また、幅を有する板面で構成することで、支持棒１８の剛性を確保することができる。
【００４１】
なお、支持棒１８の本数や形状については特に限定されるものではなく、他の形態であってもよい。また、支持棒１８は周囲枠１５に着脱自在に設けられることとする他、周囲枠１５に固定されることとしてもよい。また、支持棒１８は、プレート２０と同じ金属素材で構成することにより破断変形が生じにくい構成（割れ難い）とする他、プラスチックなどにて構成してもよい。
【００４２】
プレート２０は、例えば、プラモデルの作製の際に、ニッパーで切り落としたゲートを引き出し４に落下させるための連通部を有するものであり、本実施例では、円形の連通部を無数に配列してなる金属板（パンチングメタル）にて構成されている。
【００４３】
連通部の直径は、例えば、２．０ｍｍ〜３．５ｍｍとすることができ、作業の種類によって想定されるゴミ屑の大きさなどに応じて適宜設定されることができる。本実施例のようにプレート２０をベース本体１０に対して着脱可能とすることで、連通部の直径の異なるプレート２０を交換して利用することもできる。
【００４４】
プレート２０の板厚みは、例えば、１．０ｍｍ〜３．０ｍｍの平板とすることなどが考えられ、素材については金属とする他、プラスチックなどとしてもよい。なお、プレート２０や支持棒１８以外の部位であるベース本体１０、ボード５０、引き出し４などについては、樹脂成形品（プラスチック）で構成することができるが、これらの部位も金属で構成することとしてもよい。
【００４５】
また、本実施例のように、プレート２０に丸穴形状の連通部を配置し、この連通部を通じてゴミ屑を落下させることとする他、線状部材を編みこんでなる網状の部材にて板状部材を構成し、網目を連通部としてゴミ屑を落下させることとしてもよい。或いは、複数本の数ミリの溝を並列させる構成などとしてもよい。なお、連通部は、丸穴形状とする他、四角形孔状、六角形孔状等としてもよい。
【００４６】
また、プレート２０の全面に連通部を配置することとする他、例えば、左半分、右半分、奥側半分など、一部の領域に連通部を配置することとしてもよい。つまり、プレート２０の一部、又は、全部に、網目状（パンチングメタル、編み込み）の部位が構成する例が考えられる。
【００４７】
また、図４及び図５に示すように、プレート２０の手前側には、細長い溝状の大連通部２９が配置される。これにより、上述した孔径の小さい連通部を通過することができない比較的大きなゴミ屑（加工屑）を、大連通部２９を通して収容空間５へと落とすことができる。なお、大連通部２９は、例えば、コ字状の切り欠き部にて構成し、溝幅１ｃｍ、溝長さ８ｃｍの横長溝で構成することができる。
【００４８】
また、図４及び図５に示すように、プレート２０の上に作業用マット９を敷設して作業もすることができる。この作業用マット９は、表面に升目やスケールが設けられ、カッターを用いた切断作業などにおいて好適に用いることができる。また、作業用マット９を敷設することで連通部が塞がれ、プレート２０の領域の一部を平らな作業台として用いることがきる。本実施例では、作業用マット９は、プレート２０の奥行き側半分に相当する面積を有する構成としているが、例えば、右半分、左半分などであってもよい。また、単にプレート２０上に適宜置いて使用される構成とする他、ボード５０と同様に開閉式に構成してもよい。
【００４９】
以上のようにして本考案を実施することができる。
即ち、図１乃至図５に示すように、
プラモデル等の模型の作成時や、精密部品の加工等に好適に利用されるワークベースであって、
ベース本体１０と、ベース本体１０の上面に配置されるプレート２０を有し、
ベース本体１０には、プレート２０の下方に収容空間５が形成され、
プレート２０には、プレート２０の上方の空間と収容空間５と連通する連通部が設けられる、こととするものである。
【００５０】
これにより、プレート２０に形成される連通部を通じてゴミ屑（加工屑）を収容空間５に排出することができ、プレート２０の上面を常に綺麗な状態で作業することができ、また、ゴミ屑（加工屑）を収容空間５に集めることで、周辺にゴミ屑（加工屑）が散乱してしまう問題を解決できる。また、貴金属アクセサリー等の各種加工の際に、加工屑を確実に回収することができる。
【００５１】
また、プレート２０の一部、又は、全部が、網状の部位にて構成されることで連通部が構成される、こととするものである。
【００５２】
この構成により、プレート２０の上面のゴミ屑（加工屑）を直接的に収容空間５に落下させることができ、作業効率を高めることができる。
【００５３】
また、ベース本体１０には出し入れ取り外し可能な引き出し４が設けられ、引き出し４にて収容空間５が形成され、プレート２０の下方に引き出し４の上側の開放部が位置する、こととするものである。
【００５４】
この構成により、引き出し４を取り外すことでゴミ屑（加工屑）を廃棄することができ、作業性に優れた構成とすることができる。
【００５５】
また、ベース本体１０には、プレート２０の上面を覆うことができる開閉式のボード５０が設けられ、
ボード５０を開いた状態でプレート２０が露出するとともに、ボード５０に対して資料５２等を立てかけることができるともに、
ボード５０を閉じた状態でプレート２０が隠されて、収容状態となる、こととするものである。
【００５６】
この構成により、ボード５０をプレート２０を保護するカバーとして機能させることができ、機能ワークベース１をコンパクトして片付け、収納することができる。また、使用時には、ボード５０を開くだけでマニュアルなどの資料５２を立てかけることができ、また、ボード５０が開閉式で別体ではないため、ボード５０の置き場に困ることもない。
【００５７】
以上に説明した実施形態では、ベース本体１０が平面視において長方形状をなす構成としたが、例えば、円形、三角形、五角形などの多角形であってもよく、特に限定されるものではない。また、このベース本体１０の形状に合わせてプレート２０やボード５０などの形状も適宜設計することができる。
【符号の説明】
【００５８】
１    ワークベース
３    工具
４    引き出し
４ａ    正面板
４ｂ    取っ手
５    収容空間
９    作業用マット
１０    ベース本体
１１    コネクタ部
１２    底板部
１４ａ    正面壁部
１４ｂ    右縦壁部
１４ｃ    奥縦壁部
１４ｄ    左縦壁部
１５    周囲枠
１６    開口部
１７    内周縁
１８    支持棒
１９    工具ホルダー
２０    プレート
３０    拡大鏡
３１    アーム
３２    接続部
４０    ペンライト
４１    アーム
４２    コネクタ部
５０    ボード
５２    資料
【図１】
0003212523.tif 000003
【図２】
0003212523.tif 000004
【図３】
0003212523.tif 000005
【図４】
0003212523.tif 000006
【図５】
0003212523.tif 000007